(57)【特許請求の範囲】
【請求項１】
(i)高速変調可能な表示手段と、(ii)前記表示手段の表示面を複数の表示ブロックに分割する表示分割手段と、(iii)該分割された複数の表示ブロックの夫々に、対応する所定のデータを示す表示パターンを表示させるように前記表示手段を制御する制御手段とを備える第１通信装置と、
(i)前記表示手段に表示される前記表示パターンを受光する受光手段と、(ii)前記受光された表示パターンに基づいて前記所定のデータを取得する取得手段とを備える第２通信装置と
を備え、
前記表示パターンには、該表示パターンの基準位置を示すパイロットパターンが含まれ、
前記第２通信装置は、(iii)前記パイロットパターンに基づいて、前記受光した表示パターンの歪み、角度及び位置、並びに前記表示パターンを受光する際の前記受光手段の焦点の少なくとも一つを補正する補正手段と、(iv)前記補正手段の補正結果に基づいて、前記受光手段の受光面を、前記複数の表示ブロックの夫々に対応する複数の受光ブロックに分割する受光分割手段とを更に備えることを特徴とする通信システム。
【請求項２】
前記表示手段は、有機ＥＬ（Electro Luminescence）ディスプレイを含むことを特徴とする請求の範囲第１項に記載の通信システム。
【請求項３】
前記分割手段は、前記表示面を、前記複数の表示ブロックとして、一の方向に沿って伸張する複数の短冊ブロックに分割することを特徴とする請求の範囲第１項に記載の通信システム。
【請求項４】
前記分割手段は、前記表示面を、前記複数の表示ブロックとして、一の方向に沿って伸張し且つ前記一の方向とは異なる他の方向に更に分割された複数の短冊ブロックに分割することを特徴とする請求の範囲第１項に記載の通信システム。
【請求項５】
前記分割手段は、前記表示面を、マトリクス状に分布する前記複数の表示ブロックに分割することを特徴とする請求の範囲第１項に記載の通信システム。
【請求項６】
前記制御手段は、前記表示パターンの表示前に前記パイロットパターンを表示させるように前記表示手段を制御することを特徴とする請求の範囲第１項に記載の通信システム。
【請求項７】
前記受光手段は、回路系より切り離し可能なコンデンサを含むフォトディテクタ素子を備えることを特徴とする請求の範囲第１項に記載の通信システム。
【請求項８】
高速変調可能な表示手段と、
前記表示手段の表示面を複数の表示ブロックに分割する表示分割手段と、
該分割された複数の表示ブロックの夫々に、対応する所定のデータを示す表示パターンを表示させるように前記表示手段を制御する制御手段と、
前記表示手段に表示される前記表示パターンを受光する受光手段と、
前記受光された表示パターンに基づいて前記所定のデータを取得する取得手段と
を備え、
前記表示パターンには、該表示パターンの基準位置を示すパイロットパターンが含まれ、
前記パイロットパターンに基づいて、前記受光した表示パターンの歪み、角度及び位置、並びに前記表示パターンを受光する際の前記受光手段の焦点の少なくとも一つを補正する補正手段と、前記補正手段の補正結果に基づいて、前記受光手段の受光面を、前記複数の表示ブロックの夫々に対応する複数の受光ブロックに分割する受光分割手段とを更に備えることを特徴とする通信装置。
【請求項９】
高速変調可能な表示手段を備える第１通信装置と、前記表示手段に表示される表示パターンを受光する受光手段を備える第２通信装置とを備える通信システムにおける通信方法であって、
前記表示手段の表示面を複数の表示ブロックに分割する表示分割工程と、
該分割された複数の表示ブロックの夫々に、対応する所定のデータを示す表示パターンを表示させるように前記表示手段を制御する制御工程と、
前記受信手段により受光された表示パターンに基づいて前記所定のデータを取得する取得工程と
を備え、
前記表示パターンには、該表示パターンの基準位置を示すパイロットパターンが含まれ、
前記パイロットパターンに基づいて、前記受光した表示パターンの歪み、角度及び位置、並びに前記表示パターンを受光する際の前記受光手段の焦点の少なくとも一つを補正する補正工程と、前記補正工程の補正結果に基づいて、前記受光手段の受光面を、前記複数の表示ブロックの夫々に対応する複数の受光ブロックに分割する受光分割工程とを更に備えることを特徴とする通信方法。
【請求項１０】
(i)高速変調可能な表示手段と、(ii)前記表示手段の表示面を複数の表示ブロックに分割する表示分割手段と、(iii)該分割された複数の表示ブロックの夫々に、対応する所定のデータを示す表示パターンを表示させるように前記表示手段を制御する制御手段とを備える第１通信装置と、(i)前記表示手段に表示される前記表示パターンを受光する受光手段と、(ii)前記受光された表示パターンに基づいて前記所定のデータを取得する取得手段とを備える第２通信装置とを備え、前記表示パターンには、該表示パターンの基準位置を示すパイロットパターンが含まれ、前記第２通信装置は、(iii)前記パイロットパターンに基づいて、前記受光した表示パターンの歪み、角度及び位置、並びに前記表示パターンを受光する際の前記受光手段の焦点の少なくとも一つを補正する補正手段と、(iv)前記補正手段の補正結果に基づいて、前記受光手段の受光面を、前記複数の表示ブロックの夫々に対応する複数の受光ブロックに分割する受光分割手段とを更に備える通信システムに備えられたコンピュータを制御する通信制御用のコンピュータプログラムであって、該コンピュータを、前記第１通信装置及び前記第２通信装置のうち少なくとも一部として機能させることを特徴とするコンピュータプログラム。
【発明の詳細な説明】
【技術分野】
【０００１】
本発明は、所定の信号を、空間を介して伝送可能な通信システム、通信装置及び方法、並びにこのような通信システム等に用いられるコンピュータプログラムに関する。
【背景技術】
【０００２】
空間を介して信号を伝送する方法として、通信用の電波を用いた無線通信が一般的に知られている。例えば、大規模な無線通信としてはテレビ放送や衛星通信等が一例として挙げられる。他方、比較的小規模な無線通信としては、ＵＷＢ（Ultra Wide Band）を用いたワイヤレスＵＳＢ（Universal Serial Bus）通信やＩＲＤＡ（Infra Read Data Association）通信やブルートゥース（Bluetooth）通信や無線ＬＡＮ（Local Area Network）通信が一例として挙げられる。【０００３】
一方で、このような通信用の電波を用いることなく、空間を介して信号を伝送する方法の開発が進められている。代表的なものとして、可視光を用いた通信方法がある。例えば、ＬＥＤ（Light Emitting Diodes）を複数配列し、夫々のＬＥＤを伝送するデータに応じて適宜発光させることで、信号を伝送する方法が開発されている。或いは、通常の液晶ディスプレイ等における色点滅（色相差点滅信号）を利用して信号を伝送する方法（例えば、ディスプレイ利用ＶＬＣ：Visible Light Communications）が開発されている。
【発明の開示】
【発明が解決しようとする課題】
【０００４】
しかしながら、通信用の電波を用いた無線通信では、信号を伝送するための専用部品が必要となり、またそれらを配置するスペースが必要となる。このような、コスト的なデメリットないしは装置の大型化に係るデメリットは、特に一般ユーザにとっての通信システムの普及の障壁となり得る。また、通信用の電波を用いた無線通信では、伝送速度が相対的に低く、唯一ＵＷＢを用いたワイヤレスＵＳＢが４８０Ｍｂｐｓ（Mega bit per second）の伝送速度を実現できるに過ぎない。しかしながら、映像や音楽等の信号を伝送するには、４８０Ｍｂｐｓ伝送速度でも十分とは言い切れない。【０００５】
他方、可視光を用いた通信方法においても、ＬＥＤ等の専用部品が必要となり、通信用の無線電波を用いた無線通信と同様の問題が生じ得る。また、ディスプレイ利用ＶＬＣにおいても、伝送速度が非常に低く、映像や音楽等の信号を伝送することは困難ないしは不可能である。【０００６】
本発明が解決しようとする課題には上記のようなものが一例として挙げられる。本発明は、空間を介して好適に信号を伝送することを可能とならしめる通信システム、通信装置及び方法、並びにコンピュータを該通信システムとして実行させるコンピュータプログラムを提供することを課題とする。
【課題を解決するための手段】
【０００７】
（通信システム）
本発明の通信システムは、(i)高速変調可能な表示手段と、(ii)前記表示手段の表示面を複数の表示ブロックに分割する表示分割手段と、(iii)該分割された複数の表示ブロックの夫々に、対応する所定のデータを示す表示パターンを表示させるように前記表示手段を制御する制御手段とを備える第１通信装置と、(i)前記表示手段に表示される前記表示パターンを受光する受光手段と、(ii)前記受光された表示パターンに基づいて前記所定のデータを取得する取得手段とを備える第２通信装置とを備える。【０００８】
本発明の通信システムによれば、第１通信装置から第２通信装置に対して、所定のデータを伝送することができる。具体的には、第１通信装置が備える表示手段上にデータを示す表示パターンを表示し、該表示パターン（より具体的には、表示パターンの表示により第１通信装置から発せられる光）を第２通信装置の受光手段において受光することで、データを伝送することができる。【０００９】
表示手段は、高速変調可能に構成されている。ここに、「高速変調可能」とは、例えば表示手段を構成する複数の画素部ないしは発光部の夫々が、比較的短い周期で明滅可能であることを示す趣旨である。例えば、表示手段は、１０Ｍｂｐｓでの変調速度で変調可能に構成されており、この場合、複数の画素部ないしは発光部の夫々は、１秒間に１０００万回の明滅することができる。表示手段は、少なくとも現行の液晶ディスプレイ等における変調速度よりも大きな変調速度で変調可能であることが好ましい。係る表示手段の表示面は、表示分割手段の動作により、複数の表示ブロックに分割される。そして、制御手段の動作により、分割された複数の表示ブロックの夫々に対応する表示パターンが表示されるように表示手段が制御される。より具体的には、一の表示ブロックには一のデータに対応する一の表示パターンが表示され、他の表示ブロックには他のデータに対応する他の表示パターンが表示される。或いは、一の表示ブロックには一のデータの一部に対応する一の表示パターンが表示され、他の表示ブロックには一のデータの他の一部に対応する他の表示パターンが表示される。そして、例えば、表示ブロックが「明状態」であれば、該表示ブロックは“１”を示し、他方表示ブロックが「滅状態」であれば、該表示ブロックは“０”を示すように構成してもよい。或いは、表示パターンの色等に応じて、更に多様にデータを示すように構成してもよい。【００１０】
係る表示パターンが表示手段上に表示されることで、表示パターンに応じた光が、第１通信装置から第２通信装置へ伝搬される。第２通信装置では、受光手段の動作により、表示パターンに応じた光が受光される。その後、取得手段の動作により、受光された表示パターンに基づいて、第１通信装置から伝送されたデータが取得される。【００１１】
以上説明したように、本発明に係る通信システムによれば、空間を介して表示パターンに応じた光を伝搬することで、第１通信装置から第２通信装置に向けて好適にデータを伝送することができる。特に、表示パターンは、高速変調可能な表示手段の動作により表示されるため、単位時間当たりの伝送可能なデータ量を増大することができる。また、分割された複数の表示ブロックの夫々に、対応する異なる表示パターンを表示させることができる。即ち、データの並列伝送（並列通信）を行うことができるため、単位時間当たりの伝送可能なデータ量を増大することができる。例えば、１０Ｍｂｐｓの変調速度で変調可能な表示手段の表示面を１００分割すれば、１秒間に最大で１０Ｍｂ×１００＝１Ｇｂ（Ｇｉｇａ  ｂｉｔ）のデータを伝送することができる。このように、本発明に係る通信システムによれば、大容量のデータを、空間を介して好適に伝送することができる。その結果、映像や音声等を含む各種コンテンツをも好適に伝送することができる。【００１２】
加えて、例えば、第１通信装置として一般的な表示機器（例えば、ディスプレイ等）を用いることができ、また第２通信装置として一般的な撮像機器（例えば、カメラ等）を用いることができる。このため、本発明に係る通信システムを実現するために、相対的に高価な或いは相対的に大掛かりな専用の部品を用いる必要が殆どない。これにより、通信システム全体としてのコストを低減することができ、結果としてユーザが扱いやすい通信システムを比較的容易に実現することができる。【００１３】
また、第１通信装置では表示パターンを表示し、且つ第２通信装置では該表示された表示パターンを受光すれば、データの伝送を行うことができる。従って、例えば第１通信装置が第２通信装置を狙い撃ちして表示パターンを表示させる必要がない。また、第１通信装置側において、表示パターンを受光すべき第２通信装置を事前に選択する必要もない。言い換えれば、データ伝送のための準備処理を簡易なものとすることができる。加えて、ハイレスポンスなデータ伝送を実現することができる。【００１４】
本発明の通信システムの一の態様は、前記表示手段は、有機ＥＬ（Electro Luminescence）ディスプレイを含む。【００１５】
この態様によれば、高速変調可能なディスプレイである有機ＥＬディスプレイを用いることで、比較的容易に本発明に係る通信システムを実現することができ、その結果、上述した各種利益を好適に享受することができる。【００１６】
本発明の通信システムの他の態様は、前記分割手段は、前記表示面を、前記複数の表示ブロックとして、一の方向に沿って伸張する複数の短冊ブロックに分割する。【００１７】
この態様によれば、表示面は、例えば縦方向にないしは横方向（或いは、Ｘ軸方向ないしはＹ方向）に分割される。その結果、表示面は、縦方向にないしは横方向（或いは、Ｘ軸方向ないしはＹ方向）に伸張する短冊状の複数の表示ブロックに分割される。従って、表示手段の表示面を比較的容易に分割することができる。また、夫々の分割ブロックに、対応する表示パターンを比較的容易に表示させることができる。これは、特に、例えば有機ＥＬディスプレイ等の如く画素がマトリクス状に配置される表示手段の場合に大きな利点となる。【００１８】
本発明の通信システムの他の態様は、前記分割手段は、前記表示面を、前記複数の表示ブロックとして、一の方向に沿って伸張し且つ前記一の方向とは異なる他の方向に更に分割された複数の短冊ブロックに分割する。【００１９】
この態様によれば、表示面は、例えば縦方向及び横方向（或いは、Ｘ軸方向及びＹ方向）の夫々に分割される。その結果、表示面は、縦方向にないしは横方向（或いは、Ｘ軸方向ないしはＹ方向）に伸張する短冊状の複数の表示ブロックに分割される。従って、表示手段の表示面を比較的容易に分割することができる。また、夫々の分割ブロックに、対応する表示パターンを比較的容易に表示させることができる。これは、特に、例えば有機ＥＬディスプレイ等の如く画素がマトリクス状に配置される表示手段の場合に大きな利点となる。【００２０】
本発明の通信システムの他の態様は、前記分割手段は、前記表示面を、マトリクス状に分布する前記複数の表示ブロックに分割する。【００２１】
この態様によれば、通常画素がマトリクス状に分布する表示手段の表示面を比較的容易に分割することができる。また、夫々の分割ブロックに、対応する表示パターンを比較的容易に表示させることができる。【００２２】
本発明の通信システムの他の態様は、前記表示パターンには、該表示パターンの基準位置を示すパイロットパターンが含まれ、前記第２通信装置は、前記パイロットパターンに基づいて、前記受光した表示パターンの歪み、角度及び位置、並びに前記表示パターンを受光する際の前記受光手段の焦点の少なくとも一つを補正する補正手段を更に備える。【００２３】
この態様によれば、パイロットパターンを用いて、表示パターンの光学的な歪み等を好適に補正することができる。これにより、表示パターンを好適に受光することができ、その結果、受光された表示パターンから元のデータを好適に取得することができる。【００２４】
上述の如く補正手段を備える通信システムの態様では、前記第２通信装置は、前記補正手段の補正結果に基づいて、前記受光手段の受光面を、前記複数の表示ブロックの夫々に対応する複数の受光ブロックに分割する受光分割手段を更に備えるように構成してもよい。【００２５】
このように構成すれば、受光分割手段の動作により、補正手段の補正結果に基づいて、複数の表示ブロックの夫々に対応するように、受光手段の受光面が複数の受光ブロックに分割される。言い換えれば、複数の表示ブロックの夫々に表示される表示パターンを漏れなく且つ正確に受光するために、複数の受光ブロックに分割される。例えば、一の表示ブロックに表示される表示パターンを受光する一の受光ブロックと、他の表示ブロックに表示される表示パターンを受光する他の受光ブロックとに分割される。これにより、複数の表示ブロックの夫々に表示される表示パターンを好適に受光することができ、その結果、受光された表示パターンから元のデータを好適に取得することができる。【００２６】
上述の如く補正手段を備える通信システムの態様では、前記制御手段は、前記表示パターンの表示前に前記パイロットパターンを表示させるように前記表示手段を制御するように構成してもよい。【００２７】
このように構成すれば、実際のデータを示す表示パターンの表示に先立って、パイロットパターンが表示手段に表示される。従って、第２通信装置では、先立って表示されるパイロットパターンを用いて、表示パターンの受光に先立って、上述の補正を行うことができる。また、パイロットパターンの表示を、伝送開始の合図としても利用することができる。【００２８】
本発明の通信システムの他の態様は、前記受光手段は、回路系より切り離し可能なコンデンサを含むフォトディテクタ素子を備える。【００２９】
この態様によれば、回路系よりコンデンサを切り離すことで、コンデンサに電荷を蓄積することなく、表示パターンを好適に受光することができる。即ち、受光手段の高速応答性を確保し、高速変調可能な表示手段に表示される表示パターンであっても好適に受光することができる。【００３０】
他方で、回路系よりコンデンサを切り話さなければ、通常のＣＭＯＳイメージセンサないしはＣＣＤイメージセンサとして機能させることができ、例えばカメラやビデオカメラとしても好適に機能させることができる。【００３１】
本発明の通信システムの他の態様は、前記複数の表示ブロックの夫々の間には、前記表示パターンを表示しないスペースブロックが設けられている。【００３２】
この態様によれば、隣接する表示ブロックの光が漏れこむ不都合を好適に防ぐことができる。従って、隣接する表示ブロックの光に起因したクロストークの影響を低減することができ、伝送品質を向上させることができる。【００３３】
本発明の通信システムの他の態様は、前記複数の表示ブロックのうち少なくとも一つは、円形の形状を有する。【００３４】
この態様によれば、受光手段におけるデフォーカスによるクロストークの影響を低減することができ、伝送品質を向上させることができる。【００３５】
本発明の通信システムの他の態様は、前記第１通信装置は、前記受光手段と前記取得手段とを更に備え、前記第２通信装置は、前記表示手段と前記制御手段とを更に備える。【００３６】
この態様によれば、第１通信装置も第２通信装置の構成を有し、第２通信装置も第１通信装置の構成を有する。従って、第１通信装置から第２通信装置へのデータの伝送のみならず、第２通信装置から第１通信装置へのデータの伝送も可能となる。即ち、第１通信装置と第２通信装置との間における双方向伝送（双方向通信）が可能となる。【００３７】
（通信装置）
本発明の通信装置は、高速変調可能な表示手段と、前記表示手段の表示面を複数の表示ブロックに分割する表示分割手段と、該分割された複数の表示ブロックの夫々に、対応する所定のデータを示す表示パターンを表示させるように前記表示手段を制御する制御手段と、前記表示手段に表示される前記表示パターンを受光する受光手段と、前記受光された表示パターンに基づいて前記所定のデータを取得する取得手段とを備える。【００３８】
本発明の通信装置によれば、上述した本発明の通信システムが備える第１通信装置及び第２通信装置の夫々の機能を有している。従って、当該通信装置を用いることで、双方向通信が可能となり、結果として、上述した本発明の通信システムが有する各種利益と同様の利益を享受することが可能となる。【００３９】
尚、上述した本発明の通信システムにおける各種態様に対応して、本発明に係る通信装置も各種態様を採ることが可能である。【００４０】
（通信方法）
本発明の通信方法は、高速変調可能な表示手段を備える第１通信装置と、前記表示手段に表示される表示パターンを受光する受光手段を備える第２通信装置とを備える通信システムにおける通信方法であって、前記表示手段の表示面を複数の表示ブロックに分割する表示分割工程と、該分割された複数の表示ブロックの夫々に、対応する所定のデータを示す表示パターンを表示させるように前記表示手段を制御する制御工程と、前記受信手段により受光された表示パターンに基づいて前記所定のデータを取得する取得工程とを備える。【００４１】
本発明の通信方法によれば、上述した本発明の通信システムが有する各種利益と同様の利益を享受することが可能となる。【００４２】
尚、上述した本発明の通信システムにおける各種態様に対応して、本発明に係る通信方法も各種態様を採ることが可能である。【００４３】
（コンピュータプログラム）
本発明のコンピュータプログラムは、上述した本発明の通信システム（但し、その各種態様を含む）に備えられたコンピュータを制御する通信制御用のコンピュータプログラムであって、該コンピュータを、前記第１通信装置及び前記第２通信装置のうち少なくとも一部として機能させる。【００４４】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の通信システムを比較的簡単に実現できる。【００４５】
尚、上述した本発明の通信システムにおける各種態様に対応して、本発明のコンピュータプログラムも各種態様を採ることが可能である。【００４６】
コンピュータ読取可能な媒体内のコンピュータプログラム製品は上記課題を解決するために、上述した本発明の通信システム（但し、その各種態様を含む）に備えられたコンピュータにより実行可能なプログラム命令を明白に具現化し、該コンピュータを、前記第１通信装置及び前記第２通信装置のうち少なくとも一部として機能させる。【００４７】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の通信システムを比較的容易に実施可能となる。更に具体的には、当該コンピュータプログラム製品は、上述した本発明の通信システムとして機能させるコンピュータ読取可能なコード（或いはコンピュータ読取可能な命令）から構成されてよい。【００４８】
本発明のこのような作用及び他の利得は次に説明する実施の形態から明らかにされる。【００４９】
以上説明したように、本発明の通信システム又は方法によれば、表示手段、表示分割手段及び制御手段を備える第１通信装置と、受光手段及び取得手段を備える第２通信装置とを、又は表示分割工程、制御工程及び取得工程を備える。また、本発明の通信装置によれば、表示手段、表示分割手段、制御手段、受光手段及び取得手段を備える。従って、空間を介して好適に信号を伝送することができる。
【図面の簡単な説明】
【００５０】
【図１】本実施例に係る通信システムの基本構成を概略的に示す模式図である。
【図２】本実施例に係る通信システムに用いられる端末の基本構成を概略的に示すブロック図である。
【図３】本実施例に係る通信システムの動作の流れを概念的に示すフローチャートである。
【図４】パイロットパターンの具体例を概略的に示す平面図である。
【図５】ディスプレイ部に表示される表示パターンを受光部において受光する際の光路の様子を概念的に示す斜視図である。
【図６】表示面の分割の一の態様及びパイロットパターンの一の態様を概念的に示す平面図である。
【図７】表示面の分割の他の態様及びパイロットパターンの他の態様を概念的に示す平面図である。
【図８】表示面の分割の他の態様及びパイロットパターンの他の態様を概念的に示す平面図である。
【図９】受光部を構成するＰＤの回路構成を概念的に示す回路図である。
【図１０】表示面の分割の他の態様及びパイロットパターンの他の態様を概念的に示す平面図である。
【図１１】表示面の分割の他の態様及びパイロットパターンの他の態様を概念的に示す平面図である。
【符号の説明】
【００５１】
１  通信システム
１００ａ、１００ｂ  端末
１１０  ディスプレイ部
１１０ａ〜１１０ｊ  表示ブロック
１１０ｓ  スペースブロック
１１２  表示面分割回路
１１３  表示パターン生成回路
１１４  パイロットパターン生成回路
１１５  表示制御手段
１２０  受光部
１２２  受光信号処理回路
１２３  補正回路／対応ＰＤ指定回路
【発明を実施するための最良の形態】
【００５２】
以下、本発明を実施するための最良の形態について実施例毎に順に図面に基づいて説明する。【００５３】
（１）基本構成
初めに、図１及び図２を参照して、本発明の通信システムに係る実施例の基本構成について説明する。ここに、図１は、本実施例に係る通信システム１の基本構成を概略的に示す模式図であり、図２は、本実施例に係る通信システム１に用いられる端末の基本構成を概略的に示すブロック図である。【００５４】
図１に示すように、通信システム１は、夫々が本発明の「通信装置」の一具体例を構成する端末１００ａと端末１００ｂとを備える。端末１００ａ及び端末１００ｂの夫々は、本発明の「表示手段」の一具体例を構成するディスプレイ部１１０と、本発明の「受光手段」の一具体例を構成する受光部１２０とを備える。端末１００ａのディスプレイ部１１０に表示される表示パターンは、端末１００ｂの受光部１２０において受光（撮像）され、また、端末１００ｂのディスプレイ部１１０に表示される表示パターンは、端末１００ａの受光部１２０において受光（撮像）される。ディスプレイ部１１０に表示される表示パターンは、例えば所定のデータを変調することで生成されている。この表示パターンを復調等することで、端末１００ａから端末１００ｂへの、或いは端末１００ｂから端末１００ａへのデータの伝送が可能となる。言い換えれば、端末１００ａと端末１００ｂとの間では、可視光を用いたデータ伝送（例えば、ＶＬＣ：Visible Light Communication）が行われる。【００５５】
図２に示すように、端末１００ａ及び端末１００ｂは同一の構成を有しており、ディスプレイ部１１０、本発明の「表示分割手段」の一具体例を構成する表示面分割回路１１２、表示パターン生成回路１１３、パイロットパターン生成回路１１４、本発明の「制御手段」の一具体例を構成する表示制御回路１１５、受光部１２０、本発明の「取得手段」の一具体例を構成する受光信号処理回路１２２及び本発明の「補正手段」及び「受光分割手段」の一具体例を構成する補正回路／対応ＰＤ（Photo Detector）指定回路１２３を備えている。【００５６】
ディスプレイ部１１０は、高速変調可能なディスプレイを含んで構成されている。より具体的には、例えば数ｋｂｐｓないしは数十Ｍｂｐｓの変調速度で変調可能な有機ＥＬディスプレイを含んで構成されている。もちろん、所定の変調速度で変調可能なディスプレイであれば、端末１００ａと端末１００ｂとの間でのデータ伝送は可能である。【００５７】
表示面分割回路１１２は、ディスプレイ部１１０の表示面を、複数の表示ブロックに分割可能に構成されている。表示面の分割の態様については後に詳述する（図４等参照）。【００５８】
表示パターン生成回路１１３は、表示面が複数の表示ブロックに分割されたディスプレイ部１１０に表示させるための表示パターンを生成可能に構成されている。より具体的には、複数の表示ブロックの夫々に表示すべき一又は複数の表示パターンを、夫々の表示ブロックに対応付けて生成可能に構成されている。【００５９】
表示パターンは、端末１００ａから端末１００ｂへ、或いは端末１００ｂから端末１００ａへ伝送すべきデータに基づいて生成される。例えば表示パターンは、端末１００ａから端末１００ｂへ、或いは端末１００ｂから端末１００ａへ伝送すべきデータを変調することで生成される。言い換えれば、表示パターン生成回路１１３は、伝送すべきデータ（例えば、“０”及び“１”からなるデジタルデータ、ないしはアナログデータ）を、対応する表示ブロックに表示される表示パターンに変換可能に構成されている。そして、表示パターンは、その点滅や輝度や色や配置等の表示変調の態様により構成されてもよい。具体的には、例えば、伝送すべきデータに応じて点滅するパターンを表示パターンとしてもよい。例えば、伝送すべきデータに応じた所定の輝度のパターンないしは伝送すべきデータに応じて輝度を変化させるパターンを表示パターンとしてもよい。例えば、伝送すべきデータに応じた所定の色のパターンないしは伝送すべきデータに応じて色を変化させるパターンを表示パターンとしてもよい。或いは、例えば、伝送すべきデータに応じて位置を変化させるパターンを表示パターンとしてもよい。或いは、これらの表示の態様を組み合わせて表示パターンを構成してもよいし、その他の表示態様を用いて表示パターンを構成してもよい。【００６０】
パイロットパターン生成回路１１４は、データを伝送するために表示される表示パターンの範囲を示す（言い換えれば、データを伝送するために表示される表示パターンの位置を示す）パイロットパターンを生成可能に構成されている。パイロットパターンについては後に詳述する（図４等参照）。【００６１】
表示制御回路１１５は、ディスプレイ部１１０の表示駆動を制御可能に構成されている。具体的には、表示パターン生成回路１１３により生成される表示パターン及びパイロットパターン生成回路１１４により生成されるパイロットパターンの夫々をディスプレイ部１１０に表示させるように、ディスプレイ部１１０の表示駆動を制御する。また、通常の映像等をディスプレイ部１１０に表示させるように、ディスプレイ部１１０の表示駆動を制御することもできる。【００６２】
受光部１２０は、例えば複数のＰＤ（Photo Detector）を含んでおり、対向するディスプレイ部１１０に表示される表示パターンやパイロットパターン（より具体的には、表示パターンやパイロットパターンの表示によりディスプレイ部１１０から発せられる光）を受光可能に構成されている。【００６３】
受光信号処理回路１２２は、受光回路１２０において受光された受光信号を復調し、伝送されたデータを取得可能に構成されている。伝送されたデータが例えば映像信号を含んでいれば、該映像信号を表示制御回路１１５へ出力することで、伝送されたデータに基づいて、ディスプレイ部１１０に映像を表示することができる。【００６４】
補正回路／対応ＰＤ指定回路１２３は、受光部１２０において受光されるパイロットパターンに基づいて、受光部１２０において受光される表示パターンに対する光学歪みを補正可能に構成されている。より具体的には、受光部１２０において受光される表示パターンの像に対して、チルトや回転の補正等を行う。また、受光部１２０の焦点を調整可能に構成されている。また、受光部１２０に含まれる複数のＰＤのうち複数の表示ブロックの夫々に表示される表示パターンを受光すべきＰＤ（或いは、ＰＤ群）を指定可能に構成されている。即ち、複数の表示ブロックの夫々に対応するＰＤ（或いは、ＰＤ群）を指定可能に構成されている。【００６５】
端末１００ａ及び端末１００ｂとしては、例えばカメラ付き有機ＥＬディスプレイやカメラ付き携帯電話、ディスプレイ付きビデオカメラ、ディスプレイ付きカメラ等が一具体例として挙げられる。もちろん他の具体例であっても、ディスプレイ部１１０と受光部１２０とを備えていれば、本実施例における端末１００ａ及び端末１００ｂの一具体例に相当することは言うまでもない。【００６６】
尚、上述した通信システム１は、端末１００ａ及び端末１００ｂの夫々がディスプレイ部１１０及び受光部１２０の夫々を備えている。しかしながら、例えば端末１００ａが受光部１２０を備えておらず、且つ端末１００ｂがディスプレイ部１１０を備えていない場合であっても、端末１００ａから端末１００ｂへのデータの伝送は可能であり、係る構成も本発明の通信システムに含まれることはいうまでもない。【００６７】
（２）動作原理
続いて、図３から図８を参照して、本実施例に係る通信システム１の動作について説明する。ここでは、図３を用いて、本実施例に係る通信システム１の動作の全体の流れについて説明し、適宜図４から図８を参照して、より詳細なないしはより具体的な説明を加える。ここに、図３は、本実施例に係る通信システム１の動作の流れを概念的に示すフローチャートである。【００６８】
尚、ここでは、端末１００ａを受信側（データを受信する端末）とし、端末１００ｂを送信側（データを送信する端末）と仮定して説明を進める。【００６９】
図３に示すように、初めに端末１００ｂの表示面分割回路１１２の動作により、端末１００ｂのディスプレイ部１１０の表示面が複数の表示ブロックに分割される（ステップＳ１０１）。その後、端末１００ｂのパイロットパターン生成回路１１４の動作により生成されたパイロットパターンが、端末１００ｂのディスプレイ部１１０の表示面に表示される（ステップＳ１０２）。このとき、端末１００ｂのディスプレイ部１１０より発せられた光が端末１００ａの受光部１２０に好適に入射するように、端末１００ｂが位置していることが好ましい。係るパイロットパターンは、端末１００ｂからデータが伝送されようとしていることを端末１００ａに対して知らしめるために表示される。加えて、端末１００ａの受光部１２０において、端末１００ａのディスプレイ部１１０に表示された表示パターンを好適に受光するための調整用に表示される。【００７０】
パイロットパターンを表示した後、端末１００ｂは、所定時間待機する（ステップＳ１０３）。これは、端末１００ａがパイロットパターンを認識し、伝送されるデータの受信の準備を行うためである。このとき、例えば、データの受信の準備を行うために必要且つ十分な時間待機することが好ましい。所定時間待機した後、伝送すべきデータに応じた表示パターンが、端末１００ｂのディスプレイ部１１０に表示される（ステップＳ１０４）。【００７１】
他方、端末１００ａにおいては、先ずステップＳ１０２において表示されたパイロットパターンが、端末１００ａの受光部１２０において認識される（ステップＳ２０１）。その後、認識されたパイロットパターンに基づいて、端末１００ａの受光部１２０はフォーカシングを行う（ステップＳ２０２）。より具体的には、端末１００ａの受光部１２０の焦点が、端末１００ｂのディスプレイ部１１０（特に、表示パターンが表示される部分）に合わせられる。その後、パイロットパターン自体の認識に加えて、パイロットパターンの位置等（例えば、受光部１２０の受光面上における位置や形状等）が認識される（ステップＳ２０３）。そして、補正回路／対応ＰＤ指定回路１２３の動作により、認識されたパイロットパターンの位置等に応じて、受光部１２０において受光される表示パターンの像に対して、チルトや回転或いはズーム等の補正等が行われる（ステップＳ２０４）。更に、認識されたパイロットパターンの位置等に応じて、複数の表示ブロックの夫々に対応するＰＤ（或いは、ＰＤ群）が指定される（ステップＳ２０５）。【００７２】
その後、ステップＳ１０４において表示された表示パターンが、端末１００ａの受光部１２０において受光され、端末１００ａの受光信号処理回路１２２の動作により、元のデータに復調される（ステップＳ２０６）。このように、端末１００ｂから端末１００ａに向かってデータが伝送される。【００７３】
ここで、図４及び図５を参照して、パイロットパターンの具体例について説明する。ここに、図４は、パイロットパターンの具体例を概略的に示す平面図であり、図５は、ディスプレイ部１１０に表示される表示パターンを受光部１２０において受光する際の光路の様子を概念的に示す斜視図である。【００７４】
図４（ａ）に示すように、パイロットパターンは、表示パターンを表示する領域の両端部分に配置されている。言い換えれば、両端をパイロットパターンに囲まれた領域において、データを示す表示パターンが表示される。従って、端末１００ａは、該パイロットパターンに囲まれた領域の表示パターンを分割された表示ブロック毎に認識し、該認識された表示パターンを元のデータへと復調する。【００７５】
ここで、図５に示すように、端末１００ｂのディスプレイ部１１０（ないしは、その一部）に表示される表示パターンやパイロットパターンは、端末１００ｂのディスプレイ部１１０と端末１００ａの受光部１２０との間の光路上であって且つ端末１００ａ中に配置されている結像レンズ１２４を介して受光部１２０に受光される。このとき、表示パターン等は、結像レンズを透過する際に反転し、その後に受光部１２０に受光される。従って、端末１００ｂのディスプレイ１１０と端末１００ａの受光部１２０とが互いに正対していれば、図４（ａ）に示す形状で端末１００ｂのディスプレイ部１１０に表示されているパイロットパターンは、そのままの形状で端末１００ａの受光部１２０に認識される。【００７６】
しかしながら、端末１００ｂのディスプレイ１１０と端末１００ａの受光部１２０とが互いに正対していなければ、図４（ａ）に示す形状で端末１００ｂのディスプレイ部１１０に表示されているパイロットパターンは、例えば図４（ｂ）に示すような歪んだ形状で端末１００ａの受光部１２０に認識される。このような場合に、歪みに対して補正をしなければ、表示パターンも同様に歪んだ状態で端末１００ａの受光部１２０に受光され、結果として、元のデータへと復調することが困難ないしは不可能となる。従って、本実施例では、上述したように、実際に受光部１２０において受光されたパイロットパターンの形状と、本来のパイロットパターンの形状とを比較して、歪みが補正される。また、複数の表示ブロックの夫々に対応するＰＤ（ＰＤ群）が指定される。【００７７】
尚、パイロットパターンは、図４に示すように単なるパターン形状により構成されてもよい。或いは、パターンの点滅や輝度や色や配置等の表示変調の態様により構成されてもよい。具体的には、例えば、所定規則に従って点滅するパターンをパイロットパターンとしてもよい。例えば、所定の輝度のパターンないしは所定規則に従って輝度を変化させるパターンをパイロットパターンとしてもよい。例えば、所定の色のパターンないしは所定規則に従って色を変化させるパターンをパイロットパターンとしてもよい。或いは、例えば、所定の位置に配置されるパターンないしは所定規則に従っては位置を変化させるパターンをパイロットパターンとしてもよい。要は、表示パターンが表示される位置を規定したり、受光部１２０における光学的歪み等を補正することができるようなパターンであれば、本実施例におけるパイロットパターンとして利用することができる。【００７８】
続いて、図６から図８を参照して、表示面の分割の態様及びパイロットパターンの態様について説明する。ここに、図６から図８は夫々、表示面の分割の態様及びパイロットパターンの態様を概念的に示す平面図である。【００７９】
図６に、ディスプレイ部１１０の表示面の一部を拡大して示す。図４に示すように、ディスプレイ部１１０は、例えば複数のＸ方向信号線と複数のＹ方向信号線を備えており、夫々の信号線の交点部分が１つの画素Ｐを構成している。即ち、ディスプレイ部１１０における画素Ｐは、マトリクス状に分布している。図６では、係るディスプレイ部１１０の表示面（ないしは、その一部）が、Ｙ方向に長辺を有する短冊状の表示ブロック１１０ａから１１０ｆに分割されている。そして、複数の表示ブロック１１０ａから１１０ｆのうちの両端の表示ブロック１１０ａ及び１１０ｆがパイロットパターンを表示するために用いられ、その間の表示ブロック１１０ｂ、１１０ｃ、１１０ｄ及び１１０ｅがデータを示す表示パターンを表示するために用いられる。【００８０】
そして、表示ブロック１１０ｂ、１１０ｃ、１１０ｄ及び１１０ｅには、夫々異なる表示パターンを表示可能である。例えば、ある１つのデータを伝送するために、該データを４分割した後、分割されたデータＤ１、Ｄ２、Ｄ３及びＤ４の夫々を示す表示パターンが、対応する表示ブロック１１０ｂ、１１０ｃ、１１０ｄ及び１１０ｅに表示される。例えば、分割されたデータＤ１を示す表示パターンが対応する表示ブロック１１０ｂに表示され、分割されたデータＤ２を示す表示パターンが対応する表示ブロック１１０ｃに表示され、分割されたデータＤ３を示す表示パターンが対応する表示ブロック１１０ｄに表示され、分割されたデータＤ４を示す表示パターンが対応する表示ブロック１１０ｅに表示される。即ち、この態様では、ディスプレイ部１１０の表示面を複数の表示ブロックに分割しない場合と比較して、伝送速度を４倍にすることができる。【００８１】
もちろん、複数の表示ブロックの夫々は、分割された１つのデータの夫々の分割データを示す表示パターンを表示することに代えて、異なる複数のデータを示す複数の表示パターンを表示するように構成してもよい。例えば、データＤａを示す表示パターンが対応する表示ブロック１１０ｂに表示され、データＤｂを示す表示パターンが対応する表示ブロック１１０ｃに表示され、データＤｃを示す表示パターンが対応する表示ブロック１１０ｄに表示され、データＤｄを示す表示パターンが対応する表示ブロック１１０ｅに表示される。この態様でも、ディスプレイ部１１０の表示面を複数の表示ブロックに分割しない場合と比較して、伝送速度を４倍にすることができる。【００８２】
尚、この態様では、表示パターンを表示させるための駆動信号ないしはデータ信号のディスプレイ部１１０への入力の態様として、Ｙ方向の信号線にはＯＮ信号を入力しておき、Ｘ方向の信号線にパイロットパターン表示用信号Ｓｐ、或いは表示パターン表示用信号Ｓ１、Ｓ２、Ｓ３及びＳ４を入力するように構成することが好ましい。【００８３】
或いは、図７に示すように、図６の表示ブロックの分割の態様に加えて、これらの表示ブロックをＹ方向に更に２分割してもよい。即ち、ディスプレイ部１１０の表示面（ないしは、その一部）が、Ｙ方向に長辺を有する短冊状の表示ブロック１１０ａから１１０ｊに分割されてもよい。そして、複数の表示ブロック１１０ａから１１０ｉのうちの両端の表示ブロック１１０ａ及び１１０ｆがパイロットパターンを表示するために用いられ、その間の表示ブロック１１０ｂ、１１０ｃ、１１０ｄ、１１０ｅ、１１０ｇ、１１０ｈ、１１０ｉ及び１１０ｊがデータを示す表示パターンを表示するために用いられる。【００８４】
この場合、表示ブロック１１０ｂ、１１０ｃ、１１０ｄ、１１０ｅ、１１０ｇ、１１０ｈ、１１０ｉ及び１１０ｊには、夫々異なる表示パターンを表示可能である。例えば、ある１つのデータを伝送するために、該データを８分割した後、分割されたデータＤ１、Ｄ２、Ｄ３、Ｄ４、Ｄ５、Ｄ６、Ｄ７及びＤ８の夫々を示す表示パターンが、対応する表示ブロック１１０ｂ、１１０ｃ、１１０ｄ、１１０ｅ、１００ｇ、１００ｈ、１００ｉ及び１１０ｊに表示される。例えば、分割されたデータＤ１を示す表示パターンが対応する表示ブロック１１０ｂに表示され、分割されたデータＤ２を示す表示パターンが対応する表示ブロック１１０ｃに表示され、分割されたデータＤ３を示す表示パターンが対応する表示ブロック１１０ｄに表示され、分割されたデータＤ４を示す表示パターンが対応する表示ブロック１１０ｅに表示され、分割されたデータＤ５を示す表示パターンが対応する表示ブロック１１０ｇに表示され、分割されたデータＤ６を示す表示パターンが対応する表示ブロック１１０ｈに表示され、分割されたデータＤ７を示す表示パターンが対応する表示ブロック１１０ｉに表示され、分割されたデータＤ８を示す表示パターンが対応する表示ブロック１１０ｊに表示される。即ち、この態様では、ディスプレイ部１１０の表示面を複数の表示ブロックに分割しない場合と比較して、伝送速度を８倍にすることができる。【００８５】
尚、この態様では、Ｘ方向の信号線は、Ｙ方向に２分割されていることが好ましい。より具体的には、Ｘ方向の信号線は、Ｙ方向における表示ブロックの境界（例えば、表示ブロック１１０ｂと表示ブロック１１０ｇとの境界や表示ブロック１１０ｃと表示ブロック１１０ｈとの境界や表示ブロック１１０ｄと表示ブロック１１０ｉとの境界や表示ブロック１１０ｅと表示ブロック１１０ｊとの境界）に対応して、Ｙ方向に２分割されていることが好ましい。【００８６】
或いは、図８に示すように、表示パターンを表示するための表示ブロックが、例えばｎ×ｎのマトリクス状に分布するように、ディスプレイ部１１０の表示面が分割されてもよい。この態様では、ディスプレイ部１１０の表示面を複数の表示ブロックに分割しない場合と比較して、伝送速度をｎ×ｎ倍にすることができる。尚、図８においては、図面の簡略化のため、Ｘ方向の信号線及びＹ方向の信号線を省略している。【００８７】
伝送速度についてより詳しく説明する。例えば、ディスプレイ部１１０が１０Ｍｂｐｓの変調速度で変調可能であるとする。この場合、図６に示すようにディスプレイ部１１０の表示面（ないしはその一部）を４分割すれば、データの伝送速度は、１０Ｍｂｐｓ×４＝４０Ｍｂｐｓとなる。図７に示すようにディスプレイ部１１０の表示面（ないしはその一部）を８分割すれば、データの伝送速度は、１０Ｍｂｐｓ×８＝８０Ｍｂｐｓとなる。或いは、ディスプレイ部１１０の表示面（ないしはその一部）を１００分割すれば、データの伝送速度は、１０Ｍｂｐｓ×１００＝１Ｇｂｐｓとなる。即ち、ディスプレイ部１１０の表示面の分割数を大きくすればするほど、伝送速度は増大する。【００８８】
以上説明したように、本実施例に係る通信システム１によれば、空間を介して表示パターンに応じた光を伝搬することで、端末１００ａから端末１００ｂに向けて、或いは端末１００ｂから端末１００ａに向けて好適にデータを伝送することができる。特に、表示パターンは、高速変調可能なディスプレイ部１１０の動作により表示されるため、単位時間当たりの伝送可能なデータ量を増大することができる。また、分割された複数の表示ブロックの夫々に、対応する異なる表示パターンを表示させることができる。即ち、データの並列伝送（並列通信）を行うことができるため、単位時間当たりの伝送可能なデータ量を増大することができる。このように、本実施例に係る通信システム１によれば、大容量のデータを、空間を介して好適に伝送することができる。その結果、映像や音声等を含む各種コンテンツをも好適に伝送することができる。【００８９】
加えて、例えば、端末１００ａや端末１００ｂとして一般的な表示機器（例えば、ディスプレイ等）や一般的な撮像機器（例えば、カメラ等）を用いることができる。このため、本実施例に係る通信システム１を実現するために、相対的に高価な或いは相対的に大掛かりな専用の部品を用いる必要が殆どない。これにより、通信システム全体としてのコストを低減することができ、結果としてユーザが扱いやすい通信システムを比較的容易に実現することができる。【００９０】
また、送信側の端末で、パイロットパターン及び表示パターンの夫々を表示し、且つ受信側の端末で、該表示された表示パターンを受光すれば、データの伝送を行うことができる。従って、表示パターンを受光すべき受信側の端末を、送信側の端末において事前に選択する処理を行う必要がない。要は、送信側の端末がパイロットパターンを表示し、受信側の端末が該パイロットパターンを認識すれば、データの伝送を行うことができる。これにより、データ伝送のための準備処理を簡易なものとすることができ、ハイレスポンスなデータ伝送を実現することができる。より具体的な使用の態様を説明すると、例えば上述した端末１００ａないしは１００ｂの構成を有するカメラ付き携帯電話で写真を撮影したユーザが、パイロットパターンを表示した携帯電話のディスプレイを、上述した端末１００ａないしは１００ｂの構成を有するカメラ付きテレビに向ければ、撮影した写真のデータをカメラ付きテレビに即座に伝送することができる。該伝送されたデータは、即座にカメラ付きテレビにおいて表示することもできる。このようにユーザにとっては、非常にストレスレスな且つハイレスポンスなデータ伝送を実現することができる。【００９１】
更に、受光部１２０においては、パイロットパターンを用いて、自動的に表示パターンの光学的歪み等が自動的に補正されるため、ユーザにとっては取り扱いが容易となる。即ち、ユーザは、受信側の端末の受光部１２０を送信側の端末のディスプレイ部１１０の表示パターンが表示されている部分に近づければ、或いは送信側の端末のディスプレイ部１１０を受信側の端末の受光部１２０に近づければ、パイロットパターンに基づく補正が行われ、好適なデータ伝送を実現することができる。加えて、上述したいように伝送速度が大きいため、送信側の端末ないしは受信側の端末を持つユーザの手の動き（例えば、ブレ等）が問題とならない間にデータ伝送を完了することもできる。場合によっては、送信側の端末を受信側の端末に或いは受信側の端末を送信側の端末にかざす程度で、大容量のデータを伝送することも可能となる。【００９２】
尚、高速な伝送速度が要求されない場合は、ディスプレイ部１１０の表示面を敢えて複数の表示ブロックに分割しなくともよい。この場合、ディスプレイ部１１０の表示面（ないしはその一部）に単一の表示パターンを表示するように構成してもよい。これにより、ディスプレイ部１１０の表示面の分割処理や、受光部１２０におけるＰＤの指定処理を行う必要がなくなるため、通信システム１全体の処理負荷を低減することができる。【００９３】
尚、ディスプレイ部１１０が高速変調するため、該ディスプレイ部１１０に表示される表示パターンを受光する受光部１２０も高速応答性を有する必要がある。係る受光部１２０の構成について、図９を参照して説明する。ここに、図９は、受光部１２０を構成するＰＤの回路構成を概念的に示す回路図である。【００９４】
図９に示すように、本実施例に係る受光部１２０では、１つのＰＤに二つの信号出力端子Ｐ１及びＰ２が設けられている。スイッチＳＷ１の動作により、コンデンサＣが回路系から切り離されていない場合、ＰＤが光を受光することで生ずる電荷（即ち、ＰＤの出力信号）は、コンデンサに蓄積された後、信号出力端子Ｐ１へ出力される。即ち、信号出力端子Ｐ１は、映像等を実際に撮影する際のカメラ等として受光部１２０を利用する際に用いられる出力端子である。【００９５】
他方、スイッチＳＷ２の動作により、コンデンサＣが回路系から切り離された場合、ＰＤが光を受光することで生ずる電荷は、そのまま信号出力端子Ｐ２へ出力される。即ち、コンデンサＣに電荷が蓄積されることなく、ＰＤの出力信号が信号出力端子Ｐ２へ出力されるため、ＰＤの出力信号をより高速に外部に取り出すことができる。従って、信号出力端子Ｐ２を用いることで、高速変調可能なディスプレイに表示される表示パターンを好適に受光することができる。【００９６】
また、スイッチＳＷ１によりコンデンサＣを回路系より切り離し可能に構成することで、受光部１２０を映像撮影の用途に利用することができると共に、本実施例に係る通信システム１におけるデータ伝送の用途に利用することができる。従って、１つの受光部１２０を複数の用途で利用することができるため、端末１００ａ及び端末１００ｂの有用性の向上を図ることができる。【００９７】
尚、複数の表示ブロックの夫々に対応するＰＤを指定する場合には、夫々の表示ブロック毎に少なくとも１つのＰＤを指定すれば足り、この指定されたＰＤのコンデンサＣを回路系から切り離せば足りる。【００９８】
（３）変形例
続いて、図１０及び図１１を参照して、本実施例に係る通信システム１の変形例について説明する。ここに、図１０は、表示面の分割の他の態様及びパイロットパターンの態様を概念的に示す平面図であり、図１１、表示面の分割の他の態様及びパイロットパターンの態様を概念的に示す平面図である。【００９９】
図１０に示すように、複数の表示ブロック１１０ａから１１０ｆの夫々の間に、表示パターンやパイロットパターンが表示されないスペースブロック１１０ｓを設けるように、ディスプレイ部１１０の表示面を分割してもよい。【０１００】
これにより、例えば表示ブロック１１０ｂに表示された表示パターンを受光するＰＤ（ＰＤ群）によって、表示ブロック１１０ｃに隣接する表示ブロック１１０ａないしは１１０ｃに表示されたパイロットパターンないしは表示パターンが受光される不都合を好適に防ぐことができる。このため、隣接する表示ブロックに表示される表示パターンに起因したクロストークの影響を低減するないしはなくすことができる。【０１０１】
尚、スペースブロックを設けることに加えて又は代えて、データを伝送するための表示パターンが表示される複数の表示ブロックの夫々の間に、漏れ光遮断用の隔壁を設けるように構成してもよい。これによっても、隣接する表示ブロックに表示される表示パターンに起因したクロストークの影響を低減するないしはなくすことができる。【０１０２】
図１１に示すように、伝送されるデータを示す表示パターンが表示される複数の表示ブロック１１０ｂから１１０ｅの形状を円形にしてもよい。このように構成することで、デフォーカスに起因するクロストークの影響を低減するないしはなくすことができる。【０１０３】
本発明は、上述した実施例に限られるものではなく、請求の範囲及び明細書全体から読み取れる発明の要旨或いは思想に反しない範囲で適宜変更可能であり、そのような変更を伴なう通信システム、通信装置及び方法、並びにコンピュータプログラムもまた本発明の技術的範囲に含まれるものである。
【産業上の利用可能性】
【０１０４】
本発明に係る通信システム、通信装置及び方法、並びにコンピュータプログラムは、例えば、所定の信号を、空間を介して伝送可能な民生用の或いは業務用の通信システムに利用可能である。
【図１】
0004627084.tif 000002
【図２】
0004627084.tif 000003
【図３】
0004627084.tif 000004
【図４】
0004627084.tif 000005
【図５】
0004627084.tif 000006
【図６】
0004627084.tif 000007
【図７】
0004627084.tif 000008
【図８】
0004627084.tif 000009
【図９】
0004627084.tif 000010
【図１０】
0004627084.tif 000011
【図１１】
0004627084.tif 000012